(57)【要約】【課題】異物の存否を判定することができる液体噴射装置及び液体噴射装置における異物検出方法を提供する。【解決手段】液体噴射装置は、媒体を搬送する搬送部と、搬送部により搬送された媒体に液体を噴射する噴射部と、媒体を支持する媒体支持部と、媒体支持部に設けられ、媒体を撮像する撮像部と、搬送部による媒体の搬送を制御する制御部とを備え、制御部は、この搬送部が搬送中の媒体を撮像部に異なるタイミングで撮像させて複数の画像を取得し、取得した画像中の画素について複数の画像それぞれにおける輝度を取得して複数の画像に対応した各画素の輝度ばらつきを算出し、各画素について輝度ばらつきが閾値以下であるか否かを判定し、判定した結果に基づいて異物の存否を判定する。【選択図】図１３
2015194353.tif 000002
【特許請求の範囲】
【請求項１】
媒体を搬送する搬送部と、
前記搬送部により搬送された前記媒体に液体を噴射する噴射部と、
前記媒体を支持する媒体支持部と、
前記媒体支持部に設けられ、前記媒体を撮像する撮像部と、
前記搬送部による前記媒体の搬送を制御する制御部とを備え、
前記制御部は、前記搬送部が搬送中の前記媒体を前記撮像部に異なるタイミングで撮像させて複数の画像を取得し、取得した画像中の画素について前記複数の画像それぞれにおける輝度を取得して前記複数の画像に対応した各画素の輝度ばらつきを算出し、前記各画素について輝度ばらつきが閾値以下であるか否かを判定し、判定した結果に基づいて異物の存否を判定する
液体噴射装置。
【請求項２】
前記制御部は、前記輝度ばらつきが前記閾値以下である画素の連続個数を求め、前記連続個数が設定個数以上であるとき異物が存在すると判定する
請求項１に記載の液体噴射装置。
【請求項３】
前記制御部は、前記輝度ばらつきの平均値に基づいて前記閾値を設定する
請求項１または請求項２に記載の液体噴射装置。
【請求項４】
前記制御部は、前記媒体が前記媒体支持部に搬送された後であって、且つ、前記媒体に液体が噴射される前に、複数の画像に対応した各画素について前記輝度ばらつきが閾値以下であるか否かを判定すること、判定した結果に基づいて異物の存否を判定すること、及び判定した結果を報知することを行う
請求項１〜請求項３のいずれか一項に記載の液体噴射装置。
【請求項５】
上記液体噴射装置において、前記制御部は、異物が存在すると判定するとき、前記媒体を搬送方向と逆方向に搬送し、異物が存在することを報知する
請求項１〜請求項４のいずれか一項に記載の液体噴射装置。
【請求項６】
媒体を搬送する搬送部と、前記搬送部により搬送された前記媒体に液体を噴射する噴射部と、前記媒体を支持する媒体支持部と、前記媒体支持部に設けられ、前記媒体を撮像する撮像部と、前記搬送部による搬送を制御する制御部とを備える液体噴射装置において、前記媒体と前記撮像部との間に存在する異物を検出する異物検出方法であって、
搬送中の前記媒体を異なるタイミングで撮像し、複数の画像を取得する工程と、
取得した画像中の画素について前記複数の画像それぞれにおける輝度を取得して、前記複数の画像に対応した各画素の輝度ばらつきを算出する工程と、
前記各画素について輝度ばらつきが閾値以下であるか否かを判定し、判定した結果に基づいて異物の存否を判定する工程とを含む
異物検出方法。
【請求項７】
前記輝度ばらつきが前記閾値以下である画素の連続個数を求め、前記連続個数が設定個数以上であるとき異物が存在すると判定する
請求項６に記載の異物検出方法。
【請求項８】
上記異物検出方法において、前記輝度ばらつきの平均値に基づいて前記閾値を設定する
請求項６または請求項７に記載の異物検出方法。
【発明の詳細な説明】
【技術分野】
【０００１】
本発明は、液体噴射装置及び液体噴射装置における異物検出方法に関する。
【背景技術】
【０００２】
印刷用紙等の媒体を連続的に撮像し、撮像により得られた画像に基づいて一回の紙送り動作により繰り出される媒体の移動量を算出する液体噴射装置が知られている（例えば、特許文献１）。
【０００３】
この液体噴射装置は、媒体の裏面を撮像する撮像部を有する。撮像部は、媒体が搬送されているときに、媒体の裏面を連続的に撮像する。
液体噴射装置の制御部は、時系列的に前後する２枚の画像のうちの後の画像において、時系列的に前の画像における所定領域のテクスチャー（紙面模様）と一致する部分を検索する。そして、時系列的に前の画像における所定領域の位置と、時系列的に後の画像における所定領域と一致する領域との間の距離（単位移動量）を求める。制御部は、この処理を、媒体の移動開始から移動停止までの期間にわたって実行し、この処理により求めた距離（単位移動量）の総和を媒体の移動量とする。
【先行技術文献】
【特許文献】
【０００４】
【特許文献１】特開２０１３−９９９０２号公報
【発明の概要】
【発明が解決しようとする課題】
【０００５】
ところで、撮像部の保護透明板上に埃や紙粉等の異物が付着していると、撮像部により撮像された画像に異物像が含まれるようになる。この場合、検索に係る画像から所定のテクスチャーと一致する部分を制御部が検出することができないことがある。また、制御部が本来一致する部分として検出されるべきところとは異なった領域を検出する虞がある。この結果、制御部は、媒体の精確な移動量を算出することができなくなる。
【０００６】
本発明はこのような事情に鑑みてなされたものであり、その目的は、異物の存否を判定することができる液体噴射装置及び液体噴射装置における異物検出方法を提供することにある。
【課題を解決するための手段】
【０００７】
以下、上記課題を解決するための手段及びその作用効果について記載する。
上記課題を解決する液体噴射装置は、媒体を搬送する搬送部と、前記搬送部により搬送された前記媒体に液体を噴射する噴射部と、前記媒体を支持する媒体支持部と、前記媒体支持部に設けられ、前記媒体を撮像する撮像部と、前記搬送部による前記媒体の搬送を制御する制御部とを備え、前記制御部は、前記搬送部が搬送中の前記媒体を前記撮像部に異なるタイミングで撮像させて複数の画像を取得し、取得した画像中の画素について前記複数の画像それぞれにおける輝度を取得して前記複数の画像に対応した各画素の輝度ばらつきを算出し、前記各画素について輝度ばらつきが閾値以下であるか否かを判定し、判定した結果に基づいて異物の存否を判定する。
【０００８】
搬送中の媒体を異なるタイミングで撮像して得られる画像のテクスチャーはそれぞれ全く異なる。任意の一画素に着目すると、画像それぞれにおけるその画素の輝度は一定でなく、ばらつく。一画素について、画像それぞれにおいてその画素の輝度を取得し、これらの輝度を要素とする母集団を形成してこの母集団のばらつき（輝度ばらつき）を求めたとすると、この輝度ばらつきは「０」よりも大きい値になる。
【０００９】
一方、撮像部と媒体との間に異物が存在すると、異なる撮像タイミングで撮像された各画像は異物像を含むようになる。異物像は、各画像において同じところに位置するため、異物像に対応する画素の輝度ばらつきは、媒体に対応する画素の輝度ばらつきに比べて小さい値になる。
【００１０】
上記構成では、このような現象に基づいて、複数の画像に対応した各画素について輝度ばらつきを算出し、各画素の輝度ばらつきが閾値以下であるか否かを判定する。このため、異物の存否を判定することができる。
【００１１】
上記液体噴射装置において、前記制御部は、前記輝度ばらつきが前記閾値以下である画素の連続個数を求め、前記連続個数が設定個数以上であるとき異物が存在すると判定する。
【００１２】
撮像部の撮像素子内に低感度の画素が存在する場合がある。この画素では、輝度ばらつきが小さくなる。また、媒体と撮像部との間に極小の異物が存在することもある。極小の異物、例えば１画素分に相当する異物であれば、媒体の移動量の算出精度に大きな影響を与えない。このようなことから、異物の存否判定において、異物の大きさを考慮することが好ましい。この点、上記構成によれば、輝度ばらつきが閾値以下である画素の連続個数を求め、連続個数が設定個数以上のとき異物が存在すると判定する。これにより、所定大きさ以上の異物を検出することができる。
【００１３】
上記液体噴射装置において、前記制御部は、前記輝度ばらつきの平均値に基づいて前記閾値を設定する。
植物繊維または化学繊維により形成された繊維紙等の媒体の表面には凹凸があるため、異なるタイミングで撮像された複数の画像において、この媒体が撮像されている部分の各画素の輝度ばらつきは、異物が撮像されている部分の輝度ばらつきに比べて、十分に大きくなる。
【００１４】
一方、合成高分子から形成された合成紙は、表面の凹凸が小さいため、異なるタイミングで撮像された複数の画像において、この媒体が撮像されている部分の各画素の輝度ばらつきが、異物が撮像されている部分の輝度ばらつきに比べて、十分に大きくならない場合がある。この場合、異物の存否を精確に判定することができなくなる虞がある。
【００１５】
この点、上記構成によれば、閾値を一定値とするのではなく、輝度ばらつきの平均値に基づいて閾値を設定するため、媒体の種類に関係なく、異物の存否を精確に判定することができる。
【００１６】
上記液体噴射装置において、前記制御部は、前記媒体が前記媒体支持部に搬送された後であって、且つ、前記媒体に液体が噴射される前に、複数の画像に対応した各画素について前記輝度ばらつきが閾値以下であるか否かを判定すること、判定した結果に基づいて異物の存否を判定すること、及び判定した結果を報知することを行う。
【００１７】
媒体に液体を噴射した後に、異物の存否についての判定結果を報知したとすると、液体または媒体に無駄が生じる場合がある。例えば、異物を除去するために媒体を引き戻した後に液体の噴射（例えば印刷）を遣り直す場合には、液体及び媒体の無駄が生じる。
【００１８】
この点、上記構成によれば、媒体に液体が噴射される前に、複数の画像に対応した各画素について輝度ばらつきが閾値以下であるか否かの判定に基づいて異物の存否を判定し、この判定結果を報知するため、液体及び媒体の無駄を抑制することができる。
【００１９】
上記液体噴射装置において、前記制御部は、異物が存在すると判定するとき、前記媒体を搬送方向と逆方向に搬送し、異物が存在することを報知する。
上記構成では、異物が存在すると判定するときに自動的に媒体を搬送方向とは逆方向に搬送するため、使用者の手間を軽減することができる。
【００２０】
上記課題を解決する異物検出方法は、媒体を搬送する搬送部と、前記搬送部により搬送された前記媒体に液体を噴射する噴射部と、前記媒体を支持する媒体支持部と、前記媒体支持部に設けられ、前記媒体を撮像する撮像部と、前記搬送部による搬送を制御する制御部とを備える液体噴射装置において、前記媒体と前記撮像部との間に存在する異物を検出する異物検出方法であって、前記搬送中の媒体を異なるタイミングで撮像し、複数の画像を取得する工程と、取得した画像中の画素について前記複数の画像それぞれにおける輝度を取得して、前記複数の画像に対応した各画素の輝度ばらつきを算出する工程と、前記各画素について輝度ばらつきが閾値以下であるか否かを判定し、判定した結果に基づいて異物の存否を判定する工程とを含む。
【００２１】
上記構成によれば、複数の画像に対応した各画素について輝度ばらつきを算出し、各画素について前記輝度ばらつきが閾値以下であるか否かを判定するため、異物の存否を判定することができる。
【００２２】
上記異物検出方法において、前記輝度ばらつきが前記閾値以下である画素の連続個数を求め、前記連続個数が設定個数以上であるとき異物が存在すると判定する。
この構成によれば、所定大きさ以上の異物を検出することができる。
【００２３】
上記異物検出方法において、前記輝度ばらつきの平均値に基づいて前記閾値を設定する。この構成によれば、媒体の種類に関係なく、異物の存否を精確に判定することができる。
【図面の簡単な説明】
【００２４】
【図１】プリンターの正面図。
【図２】プリンターの側面図。
【図３】図２における３−３線に沿う一部断面図。
【図４】撮像タイミングと画像処理タイミングとの関係を示すタイミングチャートであり、（ａ）は撮像タイミングを示す図、（ｂ）は画像処理タイミングを示す図。
【図５】（ａ）は、画像におけるテンプレートの領域を示す模式図、（ｂ）はテンプレートのテクスチャーと一致するテクスチャーを検索する様子を示す模式図。
【図６】異物が撮像された画像の模式図。
【図７】テクスチャー像を構成する一画素について、各画像における輝度を示すグラフ。
【図８】異物像を構成する一画素について、各画像における輝度を示すグラフ。
【図９】（ａ）は、画素とその画素の輝度ばらつきとの関係を示す模式図、（ｂ）は、２値化処理された画像の模式図。
【図１０】２値化処理された画像図。
【図１１】（ａ）凹凸性の連続紙について、輝度ばらつきの度数分布と閾値（所定閾値）との関係を示す分布図、（ｂ）非凹凸性の連続紙について、輝度ばらつきの度数分布と閾値（所定閾値）との関係を示す分布図。
【図１２】（ａ）凹凸性の連続紙について、輝度ばらつきの度数分布と閾値（相対閾値）との関係を示す分布図、（ｂ）非凹凸性の連続紙について、輝度ばらつきの度数分布と閾値（相対閾値）との関係を示す分布図。
【図１３】異物検出処理の処理手順を示すフローチャート。
【図１４】報知装置の模式図。
【図１５】回復処理の処理手順を示すフローチャート。
【発明を実施するための形態】
【００２５】
液体噴射装置をインクジェット式プリンターに具体化した一実施形態を図面に従って説明する。
なお、以降の説明では、水平な床面に設置されたインクジェット式プリンター（以下、「プリンター１１」）において鉛直方向に沿う方向をプリンター１１の上下方向とする。
【００２６】
図１及び図２に示すように、プリンター１１は、媒体の一例である連続紙Ｐを搬送する搬送部１２と、連続紙Ｐを支持する媒体支持部１３と、連続紙Ｐに対してインク（液体の一例）を噴射する噴射部１５と、搬送部１２及び噴射部１５を制御する制御部１７を備えている。このプリンター１１には、連続紙Ｐの移動量を求めるための撮像部２０が取り付けられている。また、プリンター１１には、制御部１７から出力される情報を報知する報知装置１６が接続されている。
【００２７】
搬送部１２は、媒体支持部１３の上流側（連続紙Ｐの移動方向における上流側）に配置される給紙部１２ａと、媒体支持部１３の下流側に配置される排紙部１２ｂと、給紙部１２ａと排紙部１２ｂとの間に配置される搬送ローラー１２ｃとを備える。
【００２８】
給紙部１２ａはロータ等により連続紙Ｐを繰り出す。排紙部１２ｂは、インクが噴射された連続紙Ｐを排出する。搬送ローラー１２ｃは、印刷時（インクの噴射時）において、紙送り動作により所定の移動量だけ連続紙Ｐを移動させる。連続紙Ｐの移動量とは、搬送部１２の一回の紙送り動作により繰り出される連続紙Ｐの移動距離を示す。
【００２９】
噴射部１５は、媒体支持部１３と対向するように配置されている。噴射部１５には、インクを噴射するための複数のノズルが形成されている。また、噴射部１５には、インクを貯留するためのタンクが取り付けられている。
【００３０】
媒体支持部１３は、中空の箱体として構成されている。
媒体支持部１３の上面部は、連続紙Ｐを支持するプラテン１４として機能する。
プラテン１４には、連続紙Ｐをプラテン１４側に吸引するための複数の吸引孔１４ａが形成されている。各吸引孔１４ａは、媒体支持部１３の内部空間１３ｓに連通する。
【００３１】
媒体支持部１３の下面部には内部空間１３ｓの空気を吸引にする吸引装置（図示省略）が接続されている。吸引装置としては、例えば吸引ファンが挙げられる。吸引装置は、内部空間１３ｓから空気を吸い出すことにより、連続紙Ｐをプラテン１４に吸着させる。
【００３２】
撮像部２０は、プラテン１４の下側かつ上流側に配置されている。
撮像部２０は、連続紙Ｐの裏面（非印刷面）を撮像し、制御部１７に画像を送信する。撮像部２０は、連続紙Ｐの繊維等による凹凸模様まで撮像可能な分解能を有する。
【００３３】
制御部１７は次の制御を実行する。
第１に、制御部１７は、噴射部１５の移動を制御する。
第２に、制御部１７は、噴射部１５の圧電素子を制御することにより、ノズルから噴射するインクの噴射量を調整する。
【００３４】
第３に、制御部１７は、連続紙Ｐの供給のために給紙部１２ａを制御する。
第４に、制御部１７は、搬送ローラー１２ｃによる連続紙Ｐの移動量についてフィードバック制御する。制御部１７は、予め設定された移動量（以下、「目標移動量」）だけ連続紙Ｐが移動するように搬送ローラー１２ｃを制御するが、連続紙Ｐが搬送ローラー１２ｃに対して僅かに滑る場合があるため、実際の連続紙Ｐの移動量が目標移動量からずれる場合がある。このずれを補正するために、制御部１７は、連続紙Ｐの移動量についてフィードバック制御する。具体的には、１回の紙送り動作における搬送ローラー１２ｃの回転角度を制御する。
【００３５】
第５に、制御部１７は、連続紙Ｐの移動量のフィードバック制御のために、撮像部２０から出力される画像に基づいて連続紙Ｐの移動量を算出する。
第６に、制御部１７は、撮像部２０と連続紙Ｐとの間に異物が存在しないかを判定するための異物検出処理を実行する。
【００３６】
なお、制御部１７は、少なくとも上記第１〜第６の制御を実行し、更にこれらの制御に加えて、使用者に対して所定の警告を行ったり、メンテナンスを促したりする報知処理も実行する。また、制御部１７は、各種制御を分担して実行する複数の制御部（以下、「部分制御部」という。）で構成されうる。制御部１７が、二つの部分制御部で構成される場合は、例えば、一方の部分制御部が第１〜第３の制御を実行し、他方の部分制御部が第４〜第６の制御を実行するように構成される。
【００３７】
図３を参照して、撮像部２０を説明する。
撮像部２０は、保護透明板２１と、発光部２２と、対物レンズ２３と、投影レンズ２４と、撮像素子２５と、これらの部品を収容する筐体２６とを備える。
【００３８】
保護透明板２１は、ガラス等の透明部材により形成される。保護透明板２１は、撮像のための窓２７ａを覆う。これにより、撮像部２０内に異物が侵入することを抑制する。
発光部２２は、連続紙Ｐに光を照射する。発光部２２は、保護透明板２１の斜め下側に配置される。発光部２２は、例えば、ＬＥＤ（Light Emitting Diode）等により構成される。
【００３９】
対物レンズ２３は、発光部２２よりも下方に配置されている。
投影レンズ２４は、対物レンズ２３よりも下方に配置されている。投影レンズ２４は、対物レンズ２３を通過した光を集光して、撮像素子２５の受光面に結像する。
【００４０】
撮像素子２５は、投影レンズ２４の下方に配置されている。
撮像素子２５は、所定のタイミングで撮像し、撮像により得られた画像を制御部１７に出力する。撮像素子２５は、例えば、ＣＣＤイメージセンサーやＣＭＯＳイメージセンサーにより構成される。
【００４１】
筐体２６は、鏡筒２８と、鏡筒２８の上部を覆う蓋体２７と、鏡筒２８の下部を覆う底部２９とを備える。
蓋体２７には、連続紙Ｐを撮像するための窓２７ａが形成されている。この窓２７ａには、保護透明板２１が取り付けられている。蓋体２７において窓２７ａの周辺には、リブが設けられ、このリブはプラテン１４の一部として機能する。
【００４２】
鏡筒２８は、対物レンズ２３と投影レンズ２４とを所定の位置関係に維持する。
底部２９は、撮像素子２５を支持する支持基板により構成される。支持板には、撮像素子２５からの信号を出力するための配線が形成されている。
【００４３】
図４及び図５を参照して、連続紙Ｐの移動量の算出方法について説明する。
撮像部２０は、連続紙Ｐの移動量の算出のために、１回の紙送り動作において連続紙Ｐが移動し始める時点（以下、「移動開示時点」という。）から連続紙Ｐが停止する時点（以下、「移動停止時点」という。）まで連続的に連続紙Ｐを撮像する。撮像は、略一定の時間間隔で行われる。
【００４４】
制御部１７は、時系列的に前後する２時点で得られた２枚の画像に基づいて、２時点間における連続紙Ｐの移動距離（以下、この距離を「単位移動量」という。）を算出する。また、制御部１７は、単位移動量の算出するための画像処理（以下、「移動量算出処理」という。）を、連続紙Ｐの移動開始時点から連続紙Ｐの移動停止時点までに得られた全ての画像について行う。
【００４５】
図４を参照して、撮像タイミングと移動量算出処理のタイミングとの関係を説明する。
図４（ａ）は撮像タイミングを示し、図４（ｂ）は移動量算出処理のタイミングを示す。
【００４６】
制御部１７は、時点ｔ１の撮像タイミングで得られた画像と、時点ｔ２の撮像タイミングで得られた画像とに基づいて移動量算出処理を実行し、時点ｔ１１において単位移動量Δｙ１を算出する。
【００４７】
次に、時点ｔ２の撮像タイミングで得られた画像と時点ｔ３の撮像タイミングで得られた画像とに基づいて移動量算出処理を実行し、時点ｔ１２において単位移動量Δｙ２を算出する。このような移動量算出処理を、連続紙Ｐの移動開始時点から連続紙Ｐの移動停止時点までに得られた全ての画像について行い、単位移動量Δｙ１〜ΔｙＮ（Ｎは整数）を得る。そして、単位移動量Δｙ１〜ΔｙＮの全部を合算し、この値を連続紙Ｐの移動量とする。
【００４８】
なお、移動量算出処理の処理時間は、連続紙Ｐを撮像する時間間隔Δｔよりも短いことが好ましい。これにより、互いに比較される２枚の画像が得られた時点で移動量算出処理を開始することができ、処理待ち状態の発生を抑制すること、すなわち一時的に保存される滞貨データの発生を抑制することができる。処理待ち状態とは、制御部１７が移動量算出処理の実行中により、新たに撮像された画像とこの画像の前に撮像された画像とに基づいて行われるべき移動量算出処理が実行されず、両画像が移動量算出処理待ちの状態で一時的に保存されることをいう。
【００４９】
図５を参照して、上記移動量算出処理、すなわち単位移動量の算出するための画像処理について説明する。
図５（ａ）と図５（ｂ）は、時系列に比較される前後２枚の画像であり、図５（ａ）は撮像開始からｉ枚目（但し、ｉは自然数）の画像Ｆ１を示し、図５（ｂ）は撮像開始からｉ＋１枚目の画像Ｆ２を示す。各画像Ｆ１，Ｆ２には連続紙Ｐの裏面のテクスチャーが撮像されている。
【００５０】
移動量算出処理では、まず、図５（ａ）に示す画像Ｆ１において予め設定された領域（以下、「基準領域ＢＡ」）をテンプレートＴＰとして取得する。次に、画像Ｆ２において、画像Ｆ１で取得したテンプレートＴＰのテクスチャーと一致または類似する部分を検索する。例えば、制御部１７は、図５（ｂ）の破線で示すように画像Ｆ２において比較領域を設定し、この比較領域とテンプレートＴＰとを比較し、比較領域とテンプレートＴＰとの類似度を算出する（以下、この算出を「マッチング処理」という。）。制御部１７は、一回のマッチング処理が終了する都度または所定のタイミングで、比較領域を所定方向に１画素分ずつシフトさせる。そして、新たな比較領域の設定の都度、マッチング処理を実行する。こうして、画像Ｆ２の全領域についてマッチング処理を完了すると、制御部１７は、類似度が最大になる比較領域（以下、「マッチング領域ＭＡ」）を検出する。そして、マッチング領域ＭＡと基準領域ＢＡとの間の距離（連続紙Ｐの移動方向に沿う距離）を求める。こうして求めた距離を単位移動量Δｙとして記憶する。
【００５１】
ところで、マッチング処理において、テンプレートＴＰと比較される画像中にテンプレートＴＰと類似する部分が検索されない場合、または本来検出されるべき領域とは異なる別の領域をマッチング領域ＭＡとして検出する場合がある。例えば、保護透明板２１にインクや紙粉等の異物が付着していると、画像に異物の像（以下、「異物像」という。）が含まれるようになるため、適切なマッチング処理ができなくなる。このような場合、連続紙Ｐの移動量について適切なフィードバック処理を行うことができなくなる。
【００５２】
図６は、異物が撮像された画像の一例を示す。
この画像は、テンプレートＴＰと最もマッチングしたであろう比較領域（以下、「本来マッチング領域」）に、異物像が存在するものである。このため、この画像において、テンプレートＴＰのマッチング処理を行うと、本来マッチング領域とは別の領域をマッチング領域ＭＡとして検出することになる。
【００５３】
従って、撮像部２０と連続紙Ｐとの間に異物が存在する場合（例えば、保護透明板２１に異物が付着している場合）には、使用者にこれを報知することが好ましい。
このため、制御部１７は、撮像部２０と連続紙Ｐとの間に異物が存在しないかを検出するための異物検出処理を実行する。以下、この異物検出処理について説明する。
【００５４】
まず、異物検出処理における異物の検出原理を説明する。
異物検出処理における異物とは、連続紙Ｐの移動に起因して移動しないものを示す。このような異物の場合、連続紙Ｐの搬送中に連続紙Ｐの裏面を連続して撮像すると、全ての画像に異物像が含まれる。連続紙Ｐは移動する一方、異物は移動しないため、連続して撮像された複数の画像それぞれにおいて、一定の領域に異物像が形成され、異物像以外の領域は各撮像タイミングで得られた連続紙Ｐの裏面のテクスチャーの像（以下、「テクスチャー像」という。）が形成されるようになる。
【００５５】
異物像は時系列的に変化しないため、異物像を構成する画素の輝度は、撮像タイミングが異なる複数の画像それぞれにおいて変化しない。複数の画像それぞれにおいて異物像を構成する各画素について画像ごとにおける輝度を取得し、複数の画像に対応した各画素についての輝度ばらつきＶＢを算出したとすると、各画素の輝度ばらつきＶＢ（以下、「異物対応画素の輝度ばらつきＶＢ」という。）は小さい。なお、「複数の画像に対応した画素」とは、一枚の画像における一画素と区別される概念であり、複数枚の画像において同じ位置にある画素の輝度を一画素の輝度変化と見做して、見做し一画素に対応するものであり、この画素は、撮像素子２５の一画素に対応する。以降の説明において、「画素の輝度ばらつきＶＢ」というときの「画素」は「複数の画像に対応した画素」を意味する。
【００５６】
一方、テクスチャー像は時系列的に変化するため、テクスチャー像を構成する画素の輝度は、撮像タイミングが異なる複数の画像それぞれにおいて変化する。すなわち、複数の画像それぞれにおいてテクスチャー像を構成する各画素について画像ごとにおける輝度を取得し、複数の画像に対応した各画素についての輝度ばらつきＶＢを算出したとすると、異物対応画素の輝度ばらつきＶＢに比べて、各画素の輝度ばらつきＶＢは大きい。
【００５７】
このように、異物像に対応する画素とテクスチャー像に対応する画像とは、輝度ばらつきＶＢが異なるため、異物像及びテクスチャー像の各々と対応する各画素について輝度ばらつきＶＢを取得することにより、異物を検出することができるようになる。更に、異物検出処理について説明する。
【００５８】
図７及び図８に、所定の一画素について、各画像における輝度を示すグラフを示す。
図７及び図８の縦軸は、画素の輝度を示す。図７及び図８の横軸は、各撮像タイミングで得られた画像の番号を示す。ｎ２１は、時点ｔ２１に得られた画像番号を示す。ｎ２２〜ｎ２９も同様に定義されている。すなわち、これらグラフは、所定画素について、時点ｔ２１〜時点ｔ２９で撮像された各画像（ｎ２１〜ｎ２９の画像）における輝度をプロットしたものである。
【００５９】
図７のグラフは、画像においてテクスチャー像を構成する一画素について、各撮像タイミングの画像における輝度を示す。
図７に示されるように、テクスチャー像を構成する画素では、輝度ばらつきＶＢが大きい。
【００６０】
図８のグラフに、画像において異物像を構成する一画素について、各撮像タイミングの画像における輝度を示す。
図８に示されるように、異物像を構成する画素では、輝度ばらつきＶＢは、テクスチャー像を構成する画素の輝度ばらつきＶＢよりも小さい。
【００６１】
輝度ばらつきＶＢは、例えば、分散、標準偏差等により計算される。
画像数が９枚であるときは、分散は、［Σ（ｂｉ−ｂａｖ）２］／ｎ，（ｉは１〜９，ｎは９，ｂｉは各画像における輝度，ｂａｖはｂｉの平均値）により表される。標準偏差は、分散の正の平方根をとることにより算出される。
【００６２】
輝度ばらつきＶＢを算出するための他の式としては、例えば、［Σ（ｂｉ−ｂａｖ）４］／ｎ、［Σ（ｂｉ−ｂａｖ）６］／ｎ、［Σ｜ｂｉ−ｂａｖ｜］／ｎ等の式が挙げられる。いずれの式も、各画像の輝度ばらつきと輝度の平均値との差を項として含む。
【００６３】
図９（ａ）に、各画素と輝度ばらつきＶＢとの関係を示す。
制御部１７は、画素と、輝度ばらつきＶＢとを関係付けて記憶する。
例えば、制御部１７は、画素を、撮像素子２５におけるＸ軸方向の位置と撮像素子２５におけるＹ軸方向の位置とに基づいて（ｘ，ｙ）として定義し、各画素の輝度ばらつきＶＢをこの画素（ｘ，ｙ）に関係付けてＶＢ（ｘ，ｙ）として保存する。
【００６４】
上記したように、異物の存否は、輝度ばらつきＶＢの大小により判定することができる。
そこで、制御部１７は、各画素について、輝度ばらつきＶＢを閾値以下であるか否かを判定し、輝度ばらつきＶＢが閾値以下であるときは、異物が存在すると判定する。輝度ばらつきＶＢが閾値よりも大きいときは、異物が存在しないと判定する。例えば、制御部１７は、輝度ばらつきＶＢに基づいて各画素を２値化する（以下、「２値化処理」という。）。そして、制御部１７は、画素と、この画素の判定結果とを関係付けて記憶する。
【００６５】
例えば、上記のように画素を（ｘ，ｙ）として定義するとき、制御部１７は、各画素の判定結果をＪＢ（ｘ，ｙ）として保存する。ＪＢ（ｘ，ｙ）は、異物が存在することを示す「０」及び異物が存在しないことを示す「１」のいずれか一方の値を有する。
【００６６】
図９（ｂ）に、２値化処理された画素を示す。
図９（ｂ）では、異物が存在する画素を斜線で塗り潰して表示し、異物が存在する画素を白地で塗り潰して表示している。
【００６７】
ところで、上記では輝度ばらつきＶＢが閾値よりも小さい場合、異物が存在すると判定するが、実際には、異物が極小のため移動量の算出精度に影響が及ぼさない場合や、異物が存在せず、偶然に輝度ばらつきＶＢが閾値よりも小さくなった場合、または画素欠陥（低感度の画素）により輝度ばらつきＶＢが小さくなるといった場合がある。
【００６８】
このため、異物の存否判定において、異物の大きさを考慮することが好ましい。
異物の大きさは、異物が存在するものとして判定された画素（すなわち閾値以下である画素）の連続個数をカウントすることにより、算出される。異物の大きさとは、異物面積、異物のＸ軸方向の長さＬＸ、異物のＹ軸方向の長さＬＹ等として定義される。
【００６９】
例えば、２値化処理されたデータをラベリング処理することにより、異物と判定された画素（上記図９（ｂ）では、「０」を有する画素）のうちで上下左右の四方向（また上下左右斜めの八方向）に連続する画素に同一のラベルを付ける。これにより、同一ラベルが付された連続個数（すなわち異物面積），Ｘ軸方向の連続個数（すなわち異物のＸ軸方向の長さＬＸ）、Ｙ軸方向の連続個数（すなわち異物のＹ軸方向の長さＬＹ）を求めることができる。
【００７０】
図１０に、２値化処理された画像を示す。
図１０に示すように、異物検出処理によれば、異物が存在する部分と異物が存在しない部分とが明確に判別される。異物像の輪郭部分は、光の回り込みが発生するため、輪郭部分に対応する画素の輝度ばらつきＶＢが分散する。このため、輪郭部分には、輝度ばらつきＶＢが小さい画素と、輝度ばらつきＶＢが大きい画素とが存在する。このため、２値化処理された画像において異物の輪郭に対応する部分は凹凸のある境界となる。
【００７１】
以上のようにして、異物検出処理により異物の存否が判定されるが、連続紙Ｐの材質等により、異物の存否が正確に判定されない場合がある。
凹凸が大きい連続紙Ｐ（以下、「凹凸性の連続紙Ｐ」という。）は異物が検出されやすく、凹凸が小さい連続紙Ｐ（以下、「非凹凸性の連続紙Ｐ」という。）は異物が検出されにくい。
【００７２】
例えば、植物繊維または化学繊維により形成された連続紙Ｐの表面には凹凸があるため、各画素の輝度ばらつきＶＢは、異物が撮像されている部分の輝度ばらつきＶＢに比べて、十分に大きい。このため、閾値を所定の値に設定すれば、異物が高精度に検出される。
【００７３】
一方、合成高分子から形成された連続紙Ｐは、表面の凹凸が小さいため、各画素の輝度ばらつきＶＢは、異物が撮像されている部分の輝度ばらつきＶＢに比べて、十分に大きくならない場合がある。このため、異物を精確に判定することができなくなる場合がある。以下、この点を更に説明する。
【００７４】
図１１（ａ）に、凹凸性の連続紙Ｐの画像から得られた各画素の輝度ばらつきＶＢのデータを母集合とする度数分布を示す。
図１１（ｂ）に、非凹凸性の連続紙Ｐの画像から得られた各画素の輝度ばらつきＶＢのデータを母集合とする度数分布を示す。
【００７５】
図１１（ａ）及び図１１（ｂ）に示されるように、輝度ばらつきＶＢの度数分布には２つの山が形成される。すなわち、データは、輝度ばらつきＶＢが大きい群ＧＢと、輝度ばらつきＶＢが小さい群ＧＳとに判別される。輝度ばらつきＶＢが大きい群ＧＢは、連続紙Ｐのテクスチャー像に対応する画素の輝度ばらつきＶＢに対応し、輝度ばらつきＶＢが小さい群ＧＳは、連続紙Ｐの異物像に対応する画素の輝度ばらつきＶＢに対応する。
【００７６】
図１１（ａ）に示されるように、凹凸性の連続紙Ｐを用いている場合には、輝度ばらつきＶＢが大きい群ＧＢと、輝度ばらつきＶＢが小さい群ＧＳとは、互いに大きく離れている。このため、予め設定された閾値（所定閾値）に基づいて、正確に両者を判別することができる。
【００７７】
一方、図１１（ｂ）に示されるように、非凹凸性の連続紙Ｐを用いている場合には、輝度ばらつきＶＢが大きい群ＧＢと、輝度ばらつきＶＢが小さい群ＧＳとは、大きく離れていない。このため、予め設定された閾値（所定閾値）に基づいて両者を判別すると、輝度ばらつきＶＢが大きい群ＧＢに含まれる画素の一部が、輝度ばらつきＶＢが小さい画素であると判定されうる。
【００７８】
このようなことから、異物の存否を判定するための閾値は、連続紙Ｐの表面粗さを考慮して設定されることが好ましい。
例えば、連続紙Ｐの表面粗さを示す指標として、輝度ばらつきＶＢの平均値ＶＢａｖｅを用いることができる。
【００７９】
そして、閾値は、この平均値ＶＢａｖｅに所定係数（０よりも大きく、１よりも小さい値）を掛けて得られる値として設定される。このような閾値（相対閾値）によれば、連続紙Ｐの種類に関係なく、一定の精度で、異物を検出することができる。以下、この点について図１２（ａ）及び図１２（ｂ）を参照して説明する。
【００８０】
図１２（ａ）に示す分布は、図１１（ａ）に示す分布と同一である。
図１２（ｂ）に示す分布は、図１１（ｂ）に示す分布と同一である。
図１２（ａ）及び図１２（ａ）に示される閾値は、輝度ばらつきＶＢの平均値ＶＢａｖｅに所定係数（図１２では０．２５）を掛けて得られた値として、設定されている。図１２（ａ）及び図１２（ｂ）に示すように、非凹凸性の連続紙Ｐを用いている場合には、凹凸性の連続紙Ｐを用いている場合に比べて輝度ばらつきＶＢの平均値ＶＢａｖｅが小さくなるため、閾値は小さい値に設定されるようになる。このようなことから、連続紙Ｐの種類に関係なく、一定の精度で、輝度ばらつきＶＢが大きい群ＧＢと輝度ばらつきＶＢが小さい群ＧＳとが閾値により略正確に、判別される。
【００８１】
図１３を参照して、制御部１７が実行する異物検出処理のフローについて説明する。
異物検出処理は、例えば、連続紙Ｐの先端部が印刷待機位置に位置決めされた時点から印刷開示される時点（最初にインクを噴射する時点）までの期間中に自動的に実行される。
【００８２】
ステップＳ１００において、制御部１７は、連続紙Ｐが搬送中であるか否かを判定する。連続紙Ｐが停止しているときは、このフローを終了する。連続紙Ｐが搬送されているとき、次のステップを実行する。連続紙Ｐが搬送中であるか否かについては、制御部１７は、搬送部１２の駆動状態に基づいて判定する。
【００８３】
ステップＳ１１０において、制御部１７は、撮像部２０に連続撮像させる。これにより、時系列的に連続した画像が得られる。
ステップＳ１２０において、ステップＳ１１０において得られた画像に基づいて、各画素について輝度ばらつきＶＢを算出する。
【００８４】
ステップＳ１３０において、ステップＳ１２０において得られた各画素の輝度ばらつきＶＢに基づいて、輝度ばらつきＶＢの平均値ＶＢａｖｅを算出する。
ステップＳ１４０において、ステップＳ１３０において得られた輝度ばらつきＶＢの平均値ＶＢａｖｅに基づいて閾値を設定する。例えば、平均値ＶＢａｖｅに所定係数（０よりも大きく、１よりも小さい値）を掛けて得られる値が、閾値に設定される。
【００８５】
ステップＳ１５０において、各画素について２値化処理する。すなわち、各画素について、輝度ばらつきＶＢが閾値以下であるか否かを判定することにより、各画素を２値化（「０」または「１」）する。
【００８６】
ステップＳ１６０において、制御部１７は、２値化処理された画像データに基づいて、異物面積及び異物長さ（異物のＸ軸方向の長さＬＸ及び異物のＹ軸方向の長さＬＹ）を算出する。例えば、２値化処理された画像データをラべリング処理により異物面積及び異物長さを算出する。
【００８７】
ステップＳ１７０において、（Ａ）異物面積が設定面積以上であるか、（Ｂ）異物のＸ軸方向の長さＬＸが設定長さ以上であるか、（Ｃ）異物のＹ軸方向の長さＬＸが設定長さ以上であるか、を判定する。そして、（Ａ）〜（Ｃ）条件のうちのいずれか一つでも満たす場合、異物が存在すると判定する。
【００８８】
異物が存在すると判定したときには、次のステップＳ１８０において搬送部１２に連続紙Ｐの搬送を停止させる。更に、制御部１７は、次のステップＳ１９０において、報知装置１６を介して異物が存在していることを報知する。例えば、異物が存在することを示す警告灯を点灯させる。一方、上記（Ａ）〜（Ｃ）条件の全部を満たさない場合は、制御部１７はこのフローを終了する。
【００８９】
図１４に、報知装置１６の一例を示す。
報知装置１６は、印刷を中断させるための第１ボタン１６ａと、印刷の中断を解除するための第２ボタン１６ｂと、印刷を中止させるための第３ボタン１６ｃと、印刷を再開させるための第４ボタン１６ｄと、異物の存在を表示する表示部１６ｅとを有する。
【００９０】
異物検出処理は、連続紙Ｐの搬送中に実行される。このため、異物が存在するとの判定に基づいて連続紙Ｐが停止したときには、保護透明板２１は連続紙Ｐに覆われた状態になる。保護透明板２１から異物を除去するためには、連続紙Ｐを移動させる必要がある。このため、印刷を一旦中断させることが必要となる。印刷を中断させるための指令ボタンが、第１ボタン１６ａである。その後、保護透明板２１から異物を除去した後、印刷を開始させるときは、印刷中断状態を解除する。この時に用いられるボタンが第２ボタン１６ｂである。
【００９１】
保護透明板２１に付着した異物が除去しにくい場合もある。このような場合に、使用者は印刷を中止することもある。印刷を中止させるための指令ボタンが第３ボタン１６ｃである。
【００９２】
異物が存在すると制御部１７が判定したとしても、印刷精度に影響がないと使用者が判断する場合がある。または、印刷精度が低くなっても支障がない場合もある。このような場合において印刷を再開させるためのボタンが第４ボタン１６ｄである。
【００９３】
各ボタン１６ａ〜１６ｄ及び表示部１６ｅの機能を説明する。
第１ボタン１６ａは、押圧操作により、印刷を中断するための印刷中断指令を出力する。
【００９４】
第２ボタン１６ｂは、押圧操作により、印刷中断状態を解除させるための中断解除指令を出力する。
第３ボタン１６ｃは、押圧操作により、印刷を中止させるための印刷中止指令を出力する。
【００９５】
第４ボタン１６ｄは、押圧操作により、印刷を再開させるための印刷再開指令を出力する。
表示部１６ｅは、制御部１７から出力される異物検出信号（異物が存在することを示す信号）に基づいて点灯する。
【００９６】
なお、第１ボタン１６ａ〜第４ボタン１６ｄ及び表示部１６ｅをタッチパネルにより構成することもできる。
図１５を参照して、制御部１７が実行する回復処理のフローについて説明する。
【００９７】
回復処理は、異物検出処理により異物が存在すると判定されて連続紙Ｐの搬送が停止したときに実行される。すなわち、制御部１７は、異物検出処理においてステップＳ１８０及びステップＳ１９０を実行したときにおいて、何等かの信号を受信したときに、この回復処理を実行する。
【００９８】
ステップＳ２１０において、制御部１７は印刷再開指令の受信の有無を判定する。制御部１７は、印刷再開指令を受信したとき、搬送部１２の停止を解除して、印刷を再開させるための印刷再開処理（ステップＳ２２０）を実行する。一方、印刷再開指令を受信しないときは次のステップＳ２３０を実行する。
【００９９】
ステップＳ２３０において、制御部１７は印刷中断指令の受信の有無を判定する。
制御部１７は、印刷中断指令を受信したとき、ステップＳ２４０〜ステップＳ２７０を実行する。
【０１００】
ステップＳ２４０において、制御部１７は、搬送部１２に、連続紙Ｐを印刷待機位置に引き戻させる。
ステップＳ２５０において、制御部１７は、指令信号の受信を待つ受信待機状態になる。所定時間の経過後、ステップＳ２６０において制御部１７は中断解除指令の受信の有無を判定する。中断解除指令を受信しないときは、ステップＳ２５０に戻って受信待機状態になる。一方、制御部１７は、中断解除指令を受信するとき、ステップＳ２７０において印刷を開始する印刷開始処理を実行する。
【０１０１】
ステップＳ２３０において、制御部１７は、印刷中断指令を受信しないとき、次のステップＳ２４０を実行する。ステップＳ２８０において、制御部１７は、印刷中止指令の受信の有無を判定する。このとき、印刷中止指令を受信しないときは、この回復処理のフローを終了する。一方、制御部１７は、印刷中止指令を受信するとき、ステップＳ２９０において印刷を中止する印刷中止処理を実行する。
【０１０２】
以下、本実施形態の効果を説明する。
（１）上記実施形態では、制御部１７は、搬送中の連続紙Ｐを撮像部２０に異なるタイミングで撮像させることにより、複数の画像を取得する。そして、制御部１７は、各画素について画像それぞれにおける輝度を取得して、各画素の輝度ばらつきＶＢを算出し、各画素について輝度ばらつきＶＢが閾値以下であるか否かを判定し、この判定結果に基づいて異物の存否を判定する。
【０１０３】
上記構成では、異物像に対応する画素の輝度ばらつきＶＢが連続紙Ｐに対応する画素の輝度ばらつきＶＢに比べて小さい値になるという現象に基づいて、各画素について輝度ばらつきＶＢを算出し、各画素の輝度ばらつきＶＢが閾値以下であるか否かを判定する。このため、異物の存否を判定することができる。
【０１０４】
（２）上記実施形態において、制御部１７は、輝度ばらつきＶＢが閾値以下である画素の連続個数を求め、連続個数が設定個数以上であるとき異物が存在すると判定する。これにより、所定大きさ以上の異物を検出することができる。
【０１０５】
（３）上記実施形態において、制御部１７は、輝度ばらつきＶＢの平均値に基づいて閾値を設定する。
この構成によれば、連続紙Ｐの種類に関係なく、異物の存否を精確に判定することができる。
【０１０６】
（４）上記実施形態において、制御部１７は、連続紙Ｐが媒体支持部１３に搬送された後（印刷待機位置への移動後）であって、且つ、連続紙Ｐにインク（液体）が噴射される前（印刷前）に、上記異物検出処理を実行する。すなわち、印刷待機位置への移動後、かつ印刷前に、各画素について輝度ばらつきＶＢが閾値以下であるか否かを判定し、この判定結果に基づいて異物の存否を判定し、判定結果を報知する。
【０１０７】
連続紙Ｐにインクを噴射した後に、異物の存否についての判定結果を報知したとすると、インクまたは連続紙Ｐに無駄が生じる場合がある。この点、上記構成によれば、連続紙Ｐにインクが噴射される前に、異物検出処理を実行するため、インク及び連続紙Ｐの無駄を抑制することができる。
【０１０８】
ところで、異物の存否を判定することから判定結果を報知するまでの一連の処理を、印刷実行時とは異なる時期に実行させることができる。しかし、この場合、使用者に別の手間を強いることになる。この点、上記構成では、印刷処理の実行中に異物の存否を判定することから、使用者の手間を増大させることもない。
【０１０９】
（５）上記実施形態では、制御部１７は、異物が存在すると判定するとき、一旦、連続紙Ｐの搬送を停止し、制御部１７は待機状態になるが、この構成に代えて、次のように構成してもよい。
【０１１０】
制御部１７は、異物が存在すると判定するとき、連続紙Ｐを搬送方向と逆方向に搬送し（すなわち、連続紙Ｐを引き戻し）、異物が存在することを報知する。
この構成では、異物が存在すると判定すると、自動的に、連続紙Ｐを搬送方向とは逆方向に搬送することにより、撮像部２０の保護透明板２１が視認することができるようにするため、使用者の手間を軽減することができる。
【０１１１】
（６）上記実施形態に示す異物検出方法は、少なくとも次の３つの工程を含む。
第１の工程では、搬送中の連続紙Ｐを異なるタイミングで撮像し、複数の画像を取得する（ステップＳ１１０）。
【０１１２】
第２の工程では、各画素について画像それぞれにおける輝度を取得して、各画素について輝度ばらつきＶＢを算出する（ステップＳ１２０）。
第３の工程では、各画素について輝度ばらつきＶＢが閾値以下であるか否かを判定し、この判定結果に基づいて異物の存否を判定する（ステップＳ１５０及びステップＳ１６０）。
【０１１３】
このような異物検出方法によれば、異なるタイミングで撮像された複数の画像に対応した各画素について輝度ばらつきＶＢを算出し、各画素について輝度ばらつきＶＢが閾値以下であるか否かを判定するため、異物の存否を判定することができる。
【０１１４】
（７）上記実施形態では、異物検出方法において、輝度ばらつきＶＢが閾値以下である画素の連続個数を求め、連続個数が設定個数以上であるとき異物が存在すると判定する。この構成によれば、所定大きさ以上の異物を検出することができる。
【０１１５】
（８）上記実施形態では、異物検出方法において、輝度ばらつきＶＢの平均値ＶＢａｖｅに基づいて閾値に設定する。
この構成によれば、連続紙Ｐの種類に関係なく、異物の存否を精確に判定することができる。
【０１１６】
（変形例）
なお、実施態様は上記に示した態様に限られるものではなく、これを例えば以下に示すように変更して実施することもできる。
【０１１７】
・上記実施形態では、ステップＳ１７０において、異物の存否を判定する際に、３つの条件を用いて、少なくとも１つの条件を満たす場合に、異物が存在すると判定するが、異物の判定条件はこれに限定されない。
【０１１８】
・例えば、異物の存否を判定する条件として、上記３つの条件のいずれか一つだけを用いて判定してもよい。
また、異物の存否を判定する条件として、上記３つの条件の２つの条件を用いて判定してもよい。この場合、２つの条件のいずれか一方の条件を満たす場合に異物が存在すると判定してもよいし、両条件を満たす場合に異物が存在すると判定してもよい。
【０１１９】
・上記実施形態では、異物の存否を判定する際に、異物の大きさに関するパラメータを考慮するが、これ以外のパラメータを考慮してもよい。
保護透明板２１において端縁付近に存在する異物は、連続紙Ｐの移動量の算出の際に殆ど問題とならない。これは次の理由による。
【０１２０】
基準領域ＢＡは、画像の幅方向（連続紙Ｐの移動方向に垂直に交差する方向）の中間に配置されること、及び単位移動量Δｙが画像の縦方向長さよりも短くなるように撮像タイミングが設定されていることから、画像の端縁付近に、テンプレートＴＰと類似する部分が検出される可能性が低い。
【０１２１】
そこで、この点を考慮して、次のように異物の存否を判定してもよい。
制御部１７は、上記ステップＳ１１０〜ステップＳ１７０の処理において異物が存在すると判定するとき、この異物が、画像において予め設定された中央部以外の領域に配置されているときは、異物が存在しないと判定する。このような処理によれば、異物に起因する印刷停止の頻度を抑制することができる。
【０１２２】
・上記実施形態の報知装置１６は上記実施形態に示したものに限定されない。例えば、報知装置１６はＰＣ（personal computer）等の情報処理装置により構成されうる。
・上記実施形態では、連続紙Ｐを媒体として用いるインクジェット式プリンターについて本技術を適用しているが、本技術は、媒体の形態に関係なく適用される。
【符号の説明】
【０１２３】
１１…プリンター、１２…搬送部、１２ａ…給紙部、１２ｂ…排紙部、１２ｃ…搬送ローラー、１３…媒体支持部、１３ｓ…内部空間、１４…プラテン、１４ａ…吸引孔、１５…噴射部、１６…報知装置、１６ａ…第１ボタン、１６ｂ…第２ボタン、１６ｃ…第３ボタン、１６ｄ…第４ボタン、１６ｅ…表示部、１７…制御部、２０…撮像部、２１…保護透明板、２２…発光部、２３…対物レンズ、２４…投影レンズ、２５…撮像素子、２６…筐体、２７…蓋体、２７ａ…窓、２８…鏡筒、２９…底部。
【図１】
2015194353.tif 000003
【図２】
2015194353.tif 000004
【図３】
2015194353.tif 000005
【図４】
2015194353.tif 000006
【図５】
2015194353.tif 000007
【図６】
2015194353.tif 000008
【図７】
2015194353.tif 000009
【図８】
2015194353.tif 000010
【図９】
2015194353.tif 000011
【図１０】
2015194353.tif 000012
【図１１】
2015194353.tif 000013
【図１２】
2015194353.tif 000014
【図１３】
2015194353.tif 000015
【図１４】
2015194353.tif 000016
【図１５】
2015194353.tif 000017